(57)【要約】【課題】網戸のサッシ枠内への取付け及び取外し作業中に誤作業が生じた場合であっても、網戸が室外面への外れることがない安全性に優れた内外し引き違い窓を提供する。【解決手段】窓枠１の下枠上に室外側レール部材１３及び室内側レール部材１４を設けて、前記各レール部材の上面を、前記下枠の室内側立ち上がり片の上端とほぼ同一のフラット面とし、外障子３と網戸２が前記室外側レール部材上を、内障子４が前記室内側レール部材上を走行し、室内側に引き込んで外すようにした内外し引き違い窓であって、  前記室外側レール部材１３は、その室外側に前記フラット面より上方に突出する立上がり片６１を有し、  前記網戸２は、その室内側垂下片９２が前記立上がり片６１の室内側に位置して前記立上がり片６１の上端より垂下している、ことを特徴とする内外し引き違い窓。【選択図】図１
2009293258.tif 000002
【特許請求の範囲】
【請求項１】
窓枠の下枠上に室外側レール部材及び室内側レール部材を設けて、前記各レール部材の上面を、前記下枠の室内側立ち上がり片の上端とほぼ同一のフラット面とし、外障子と網戸が前記室外側レール部材上を、内障子が前記室内側レール部材上を走行し、室内側に引き込んで外すようにした内外し引き違い窓であって、
前記室外側レール部材は、その室外側に前記フラット面より上方に突出する立上がり片を有し、
前記網戸は、その室内側垂下片が前記立上がり片の室内側に位置して前記立上がり片の上端より垂下している、ことを特徴とする内外し引き違い窓。
【請求項２】
前記網戸の上方への呑み込み限に対して、前記網戸の室内側垂下片の下端より、前記立上がり片の上端が上位に位置している請求項１記載の内外し引き違い窓。
【請求項３】
前記呑み込み限が、前記網戸の堅框に挿嵌されている上端ブロックの溝部と、それと対向する前記窓枠の室外側垂下片の先端部との距離である請求項１記載の内外し引き違い窓。
【請求項４】
前記呑み込み限が、前記網戸の上框に挿嵌されている揺れ防止部品の溝部と、それと対向する前記窓枠の室外側垂下片の先端部との距離である請求項１及至３のいずれか１項に記載の内外し引き違い窓。
【請求項５】
前記室外側レール部材は、前記下枠に対して着脱自在である請求項１及至４のいずれか１項に記載の内外し引き違い窓。
【請求項６】
前記外障子の上方への呑み込み限に対して、前記外障子の室内側垂下片の下端より、前記立上がり片の上端が上位に位置している請求項１及至５のいずれか１項に記載の内外し引き違い窓。
【発明の詳細な説明】
【技術分野】
【０００１】
本発明は、建築物の屋外開口部に取付けた窓枠内を網戸及び内外障子がスライド開閉する内外し引き違い窓の構造に関し、特に、窓枠の下枠の上面が略フラット面に形成したバリアフリー内外し引き違い窓における網戸の室外側へのはずれ防止構造に関するものである。
【背景技術】
【０００２】
従来、建築物の屋外開口部に取付けた窓枠の下枠には、当該内外障子を左右にスライドさせるために、内外障子の下框に設けられた戸車を回動させるリブ状のレール部が形成されており、通常、リブ状のレール部は、引き違い窓の雨仕舞の観点より、室外側よりも室内側が高くなるように段差を設けて形成されていた。
【０００３】
一方、近年では、バリアフリー若しくはユニバーサルデザインの観点から、リブ状のレール部を室外側と室内側で段差を設けることなく窓枠の下枠を略フラットに形成した屋外用バリアフリーサッシが開発されている。（例えば、特許文献１参照）
このような、屋外用バリアフリーサッシにおいては、内外障子を窓枠の上枠のレールに沿って上方に移動させ、内外障子のスライド片をスライド溝に挿入することにより簡単に内外障子をサッシ枠内に容易に取付けることができ、また、内外障子を窓枠の上枠のレールに沿って上方に移動させ、内外障子のスライド片をスライド溝からし室内側に引抜することにより簡単に内外障子を窓枠内から容易に取外すことができる。
【０００４】
また、内外障子と窓枠との隙間から室内側に虫等が浸入するのを防止するため、窓枠の下枠に凹部を形成し網戸の垂下片を嵌合した網戸付き屋外用バリアフリーサッシも開発されている。（例えば、特許文献２参照）
【特許文献１】特開２００２−２５６７７８号公報
【特許文献２】特開２００２−２５６７８４号公報
【発明の開示】
【発明が解決しようとする課題】
【０００５】
しかし、特に、網戸のサッシ枠内への取付け作業中の誤作業により網戸が室外側に外れ、落下する虞があり、特に高層階、高窓の外障子が落下した場合、二次的災害を引き起こす虞もある。
例えば、網戸のサッシ枠内への取付け作業において、網戸のスライド片がスライド溝に挿入されなかった場合、網戸が室外側に外れ落下する虞がある。また、網戸のサッシ枠内からの取外し作業において、網戸をスライド溝から室外側に引抜いた場合、網戸が室外側に外れ落下するおそれがある。
【０００６】
そこで、本発明の主たる課題は、網戸のサッシ枠内への取付け及び取外し作業中に誤作業が生じた場合であっても、網戸が室外面への外れることがない安全性に優れた内外し引き違い窓を提供することにある。
【課題を解決するための手段】
【０００７】
上記課題を解決した本発明は、次のとおりである。
＜請求項１記載の発明＞
請求項１記載の発明は、窓枠の下枠上に室外側レール部材及び室内側レール部材を設けて、前記各レール部材の上面を、前記下枠の室内側立ち上がり片の上端とほぼ同一のフラット面とし、外障子と網戸が前記室外側レール部材上を、内障子が前記室内側レール部材上を走行し、室内側に引き込んで外すようにした内外し引き違い窓であって、
前記室外側レール部材は、その室外側に前記フラット面より上方に突出する立上がり片を有し、
前記網戸は、その室内側垂下片が前記立上がり片の室内側に位置して前記立上がり片の上端より垂下している、ことを特徴とする内外し引き違い窓である。
【０００８】
（作用効果）
窓枠の下枠上に室外側レール部材及び室内側レール部材を設けて、前記各レール部材の上面を、前記下枠の室内側立ち上がり片の上端とほぼ同一のフラット面としていることから、バリアフリーを実現でき、また、ユニバーサルデザインの観点からも優れたものである。
室外側レール部材は、その室外側に前記フラット面より上方に突出する立上がり片を有していることから、網戸の取付け及び取外し作業中の誤作業により、網戸が室外に外れ、落下することがなく安全性に優れる。
また、室外側から室外側レール部材と外障子との隙間にバール塔を差し込み、外障子を外される危険もなく防犯性に優れる。
網戸は、その室内側垂下片が前記立上がり片の室内側に位置して前記立上がり片の上端より垂下していることから、網戸は立上がり片上に沿って左右に容易に閉開でき、閉開時において網戸は窓枠から外れることがなく安全性に優れる。
また、立上がり片上に沿って網戸が走行するように構成したことから、網戸走行レールを別段に設ける必要がなく製造コストを低減でき経済的に優れる。
【０００９】
＜請求項２記載の発明＞
請求項２記載の発明は、  前記網戸の上方への呑み込み限に対して、前記網戸の室内側垂下片の下端より、前記立上がり片の上端が上位に位置している請求項１記載の内外し引き違い窓である。
【００１０】
（作用効果）
網戸の上方への呑み込み限に対して、前記室内側垂下片の下端より、前記立上がり片の上端が上位に位置していることから、網戸の取付け及び取外し作業中の誤作業により、網戸が室外に外れ、落下することがなく安全性に優れる。
また、立上がり片の立上がり長さを短くすることができ、ユニバーサルデザインの観点からも優れる。
【００１１】
＜請求項３記載の発明＞
請求項３記載の発明は、前記呑み込み限が、前記網戸の堅框に挿嵌されている上端ブロックの溝部と、それと対向する前記窓枠の室外側垂下片の先端部との距離である請求項１記載の内外し引き違い窓である。
【００１２】
（作用効果）
呑み込み限が、前記網戸の堅框に挿嵌されている上端ブロックの溝部と、それと対向する前記窓枠の室外側垂下片の先端部との距離であることから、網戸の幅方向全体にわたり均一な呑み込み限が得られ、網戸の取付け及び取外し作業中の誤作業により、網戸が室外に外れ、落下することがない。
また、網戸の閉開時には、上端ブロックを樹脂で形成することにより、窓枠の垂下片とが摺動することにより網戸の閉開をスムーズに行うことができる。
【００１３】
＜請求項４記載の発明＞
請求項４記載の発明は、前記呑み込み限が、前記網戸の上框に挿嵌されている揺れ防止部品の溝部と、それと対向する前記窓枠の室外側垂下片の先端部との距離である請求項１及至３のいずれか１項に記載の内外し引き違い窓である。
【００１４】
（作用効果）
呑み込み限が、前記網戸の上框に挿嵌されている揺れ防止部品の溝部と、それと対向する前記窓枠の室外側垂下片の先端部との距離であることから、網戸の幅方向全体にわたり均一な呑み込み限が得られ、網戸の取付け及び取外し作業中の誤作業により、網戸が室外に外れ、落下することがない。
また、網戸の閉開時には、揺れ防止部品は摺動ロールを有することから、摺動ロールと窓枠の垂下片の先端部とが摺動することにより網戸の閉開をよりスムーズに行うことができる。
【００１５】
＜請求項５記載の発明＞
請求項５記載の発明は、前記室外側レール部材は、前記下枠に対して着脱自在である請求項１及至４のいずれか１項に記載の内外し引き違い窓である。
【００１６】
（作用効果）
室外側レール部材は、下枠に対して着脱自在であることから、室外側レール部材の損傷時に室外側レール部材の交換が容易にできる。
また、室外側レール部材は、立上がり片を形成していない従来品と互換性があり、掃出し窓とする場合には、室外側レール部材を従来品に交換することにより容易にバリアフリーにすることができる。
【００１７】
＜請求項６記載の発明＞
請求項６記載の発明は、前記外障子の上方への呑み込み限に対して、前記外障子の室内側垂下片の下端より、前記立上がり片の上端が上位に位置している請求項１及至５のいずれか１項に記載の内外し引き違い窓である。
【００１８】
（作用効果）  
外障子の上方への呑み込み限に対して、外障子の室外側垂下片の下端より、立上がり片の上端が上位に位置していることから、特に、外障子の取付け及び取外し作業中の誤作業により、外障子が室外に外れ、落下することがなく安全性に優れる。
また、外障子の室外方向移動距離（角度）が小さい段階で、立上がり片により外障子が係止されるため、作業者に誤作業をいち早く認識させることができ、取付け及び取外し作業効率が高い内外し引き違い窓を実現する。
【発明の効果】
【００１９】
本発明によれば、網戸の取付け、取外し作業中に誤作業が生じた場合であっても、網戸が室外面への外れることがない安全性に優れた内外し引き違い窓を提供することができる。
【発明を実施するための最良の形態】
【００２０】
以下、本発明の実施の形態を説明する。
図１は内外し引き違い窓の縦断面図、図２は同上部拡大縦断面図、図３は同下部拡大縦断面図、図４は室外側レール部材であり、図５は内外し引き違い窓の横断面図である。
【００２１】
内外し引き違い窓は、窓枠１と、窓枠１に嵌合された網戸２、外障子３及び内障子４から構成されている。
【００２２】
窓枠１は、上枠１０、下枠１１及び左右堅枠１２を四周枠組みして形成され、さらに、下枠１１は、室外側レール部材（目板）１３と、室内側レール部材１４とがそれぞれ下部下枠１５に上方から挿嵌されている。
また、窓枠１には、網戸２と、外内障子３，４が引き違い状に備えられている。
【００２３】
網戸２は、網戸上框２０、網戸下框２１及び網戸堅框２２を四周框組みして形成され、框内に網２３が挿嵌されている。
外内障子３，４は、上框３０ａ，３０ｂ、下框３１ａ，３１ｂ、召し合わせ框３２ａ，３２ｂ及び戸先框３３ａ，３３ｂを四周框組みして形成され、それぞれの框内にガラスパネル３４ａ，３４ｂが框に挿嵌されている。
そして、外内障子３，４は、外内障子３，４を閉じた際に、それぞれの召し合せ框３２ａ，３２ｂに設けたクレセント（図示省略）により施錠される。
【００２４】
（窓枠）
上枠１０は、外側基板４０と、外側基板４０から下方に向かって垂下する室外側から順に、室外側垂下片４１、室外側中間垂下片４２、室内側中間垂下片４３及び室内側垂下片４４を有する。
室外側垂下片４１は、網戸２の揺れ防止部品８６及び上端ブロック８７の溝８８，８９と係合し、室外側中間垂下片４２は、外障子３の室外側ダイス１０３の溝１０５と係合する。
また、外側基板４０、室内側中間垂下片４３及び室内側垂下片４４で囲まれる部位が、内障子４の内障子走行溝４５を形成する。
さらに、外側基板４０の下側面には、開閉時における外内障子３，４の上方への移動を制限するストッパー４６がそれぞれ外内障子３，４の上框３０ａ，３０ｂと対向する位置に設けられている。
【００２５】
下枠１１は、室外側レール部材１３と、室内側レール部材１４とがそれぞれ下部下枠１５に上方から挿嵌されている。
下部下枠１５は、中空部５０と、中空部５０から上方に向かって立ち上がる室外側から順に、室外側立上がり片５１、第１中間立上がり片５２、第２中間立上がり片５３、第３中間立上がり片５４、室内側立上がり片５５を有する。
また、第２中間立上がり片５３及び室内側立上がり片５５の先端部の室外面には下枠タイト材５７が取付けられている。
【００２６】
室外側レール部材１３は、基板６０と、基板６０から上方に向かって立上がる立上がり片６１と、基板６０から下方に向かって垂下する室外側垂下片６２及び室内側垂下片６３を有し、基板６０の上面側には、外障子３の障子戸車１０９ａが走行する凸状の外障子走行レール６４が形成されている。
網戸２の網戸戸車９５が走行する網戸走行レールである立上がり片６１は、網戸２の室内側垂下片９３の下端より上方に立上がっており、本実施形態では、立上がり距離は１２．５ｍｍである（図１０）。
なお、本明細書において、立上がり距離とは、立上がり片６１の上端と網戸下框２１の室内側垂下片９３の下端の上下方向距離をいうものとする。
また、室外側レール部材１３は、従来品と互換性があり室外側レール部材１３を従来品に交換することにより容易にバリアフリーに変更することが可能である。
なお、図４（ａ）には従来品を示し、室外側レール部材１３との相違を明らかにするために同一部位には、同一符号を付している。
【００２７】
室内側レール部材１４は、基板７０と、基板７０から下方に向かって垂下する室外側垂下片７１及び室内側垂下片７２を有し、基板７０の上面側には、内障子４の障子戸車１０９ｂが走行する凸状の内障子走行レール７３が形成されている。
【００２８】
（網戸）
網戸上框２０は、中空部８０と、中空部８０から上方に向かって立上がる室外側立上がり片８１と、室内側立上がり片８２と、中空部８０から下方に向かって垂下する垂下片８３を有し、垂下片８３には、網２３の上端部が巻着されている。
また、図６に示すように、中空部８０と、室外側立上がり片８１及び室内側立上がり片８２で囲まれる部位の両端部には、図７に示す揺れ防止部品８６がそれぞれ挿嵌され、網戸堅框２２の上端部には、図９に示す樹脂製の上端ブロック８７がそれぞれ挿嵌されている。
揺れ防止部品８６は、略直方体の形状をなし、揺れ防止部品８６の上面部から下方に向かって窓枠１の室外側垂下片４１と係合する溝８８が形成されている。
また、揺れ防止部品８６は、窓枠１の室外側垂下片４１の先端部と摺動する摺動ロール９０を有し、摺動ロール９０は、ロック部材９６によって上方に押し上げられ、窓枠１の室外側垂下片４１の先端部の凹凸に対応し押動する（図８）。
上端ブロック８７は、略直方体の形状をなし、上端ブロック８７の上面部から下方に向かって窓枠１の室外側垂下片４１と係合する溝８９が形成されている。
溝８８，８９は、窓枠１の室外側垂下片４１の先端部より下方に延在しており、本実施形態では、溝深さ距離は７．５ｍｍである。
また、網戸上框２０の上面部から溝８８，８９の溝底部が同じ位置（深さ）になるように揺れ防止部品８６、上端ブロック８７がそれぞれ網戸上框２０、網戸堅框２２に取り付けネジにより固定されている（図１１）。
なお、本明細書において、溝深さ距離とは、溝８８，８９の溝底部と窓枠１の室外側垂下片４１の先端部の上下方向距離（クリアランス）をいうものとする。
また、本実施形態では、揺れ防止部品８６及び上端ブロック８７を使用しているが、揺れ防止部品８６または上端ブロック８７のどちらか一方のみを使用することができることは言うまでもないことである。
【００２９】
網戸下框２１は、中空部９１と、中空部９１から下方に向かって垂下する室外側垂下片９２と、室内側垂下片９３と、中空部９１から上方に向かって立上がる立上がり片９４とを有し、立上がり片９４には、網２３の下端部が巻着されている。
また、中空部９１と、室外側垂下片９２及び室内側垂下片９３で囲まれる部位の両端部には網戸戸車９５が取付けられている。
さらに、室内側垂下片９３の垂下長さは、室外側垂下片９２の垂下長さに比べ長く、本実施形態では、室内側垂下片９３の垂下長さは、室外側垂下片９２の垂下長さに比べ５ｍｍ長く形成されている。
【００３０】
図１２は、室外側レール部材（目板）１３の立上がり片５１と、網戸２の室内側垂下片９３の係合状態図である。
【００３１】
窓枠１に網戸２を取付けるには、上枠１０の室外側垂下片４１に沿って網戸２を上方に移動させながら、網戸２の揺れ防止部品８６の溝８８及び上端ブロック８７の溝８９を室外側垂下片４１に挿嵌する。
また、窓枠１から網戸２を取り外すには、上枠１０の室外側垂下片４１に沿って網戸２を下方に移動させながら、網戸２の揺れ防止部品８６の溝８８及び上端ブロック８７の溝８９を室外側垂下片４１から抜脱する。
【００３２】
網戸２の取付け又は取外し作業中の誤作業により、網戸２が屋外方向に押された場合にあっても、網戸２の網戸下框２１の室内側垂下片９３が、下枠１１の室外側レール部材（目板）１３に形成された立上がり片５１に係止することにより、網戸２が屋外方向に外れることがない。本実施形態においては、網戸２が上枠１０の室外側垂下片４１に沿って上方に７．５ｍｍ（溝深さ距離が７．５ｍｍに相当）移動させられた場合にあっても、網戸２の網戸下框２１の室内側垂下片９３の下端から５ｍｍの部位が、下枠１１の室外側レール部材（目板）１３の立上がり片５１に係止する。
従って、特に高層建築物において、網戸２が室外面への外れ落下することがなく安全性に優れた内外し引き違い窓を提供することができる。
また、屋外側から室外側レール部材１３と外障子３との隙間にバール塔を差し込み、外障子３を外されるおそれもない。
【００３３】
（外内障子）
上框３０ａ，３０ｂは、中空部１００ａ，１００ｂと、中空部１００ａ，１００ｂから上方に立上がる立上がり片１０１ａ，１０１ｂと、中空部１００ａ，１００ｂから垂下する垂下片１０２ａ，１０２ｂから形成されている。
【００３４】
上框３０ａの立上がり片１０１ａの間には、室外側ダイス１０３が挿嵌され、上框３０ｂの立上がり片３１ｂには、室内側ダイス１０４が嵌合され、室外側ダイス１０３には、上面から溝１０５が形成されている。
【００３５】
室外側ダイス１０３の溝１０５には上枠４の室内側中間垂下片４２が挿嵌されており、外障子３が室内側中間垂下片４２に沿って左右開閉することができる。
また、上枠１０の室内側中間垂下片４３に取付けられた上枠タイト材４７が、上框３０ａの室内側立上がり片１０１ａの室内面に摺接しており、室外の雨水等の浸入を防止する水密ラインが形成されている。
【００３６】
内障子走行溝４５に、上框３０ｂの立上がり片１０１ｂが挿嵌されており、内障子４が内障子走行溝４５に沿って左右閉開される。
上框３０ｂの室外側立上がり片１０１ｂの室内側ダイス１０４が、上枠１０の室内側中間垂下片４３の室内面に摺接しており、内障子４が室外方向への移動を抑制している。
また、上枠１０の室内側垂下片４４の室外面に設けられた上枠タイト材４７が、上框３０ｂの室内側立上がり片１０１ｂの室内面に摺接しており、室外の雨水等の浸入を防止する水密ラインが形成されている。
【００３７】
外内障子３，４の下框３１ａ，３１ｂは、中空部１０６ａ，１０６ｂと、中空部１０６ａ，１０６ｂから上方に立上がる立上がり片１０７ａ，１０７ｂと、中空部１０６ａ，１０６ｂから垂下する垂下片１０８ａ，１０８ｂとを有し、ガラスパネル３４ａ，３４ｂを、外内障子３，４の上框３０ａ，３０ｂの立上がり片１０７ａ，１０７ｂと、上框３０ａ，３０ｂの垂下片１０２ａ，１０２ｂとによって挟持している。  
【００３８】
室内側垂下片１０８ａ，１０８ｂは、室外側垂下片１０８ａ，１０８ｂより長く形成されており、室内側垂下片１０８ａ，１０８ｂは、それぞれ外内障子走行溝１１１ａ，１１１ｂ挿嵌されており、外内障子３，４は、外内障子走行溝１１１ａ，１１１ｂに沿って左右開閉される。
なお、外障子走行溝１１１ａとは、下部下枠１５の中空部５０と、第１中間立上がり片５２と、第２中間立上がり片５３と、室外側レール部材１３の室内側垂下片６２で囲まれる部位をいい、内障子走行溝１１１ｂとは、下部下枠１５の中空部５０と、第３中間立上がり片５４と、室内側立上がり片５５と、室内側レール部材１４の室内側垂下片７２で囲まれる部位をいう。
【００３９】
室内側垂下片１０８ａ，１０８ｂの室内面には、下部下枠１５の下枠タイト材５６，５７が摺接し、屋外の雨水等の外内障子走行溝１１１ａ，１１１ｂへの浸入を防止している。
また、室外側垂下片１０８ａ，１０８ｂの先端部には、外内障子戸車１０９ａ，１０９ｂが取付けられ、室外側垂下片１０８ａ，１０８ｂの先端部には、水切りタイト材１１０ａ，１１０ｂが取付けられている。
水切りタイト材１１０ａ，１１０ｂは、それぞれ室外側レール部材１３の基板６０、室内側レール部材１４の基板７０の上面と摺接し、室外の雨水等が、外内障子走行レール６４，７３の上部への浸入を防止している。
【００４０】
外障子３の召し合せ框３２ａの室内面には、煙返し１１２ａと、その内側に突出片１１３が形成されている。
内障子４の召し合せ框３２ｂの室外面には、堅タイト材１１４と、その内側に気密ブロック（図示省略）が設けられ、その内側に煙返し１１２ｂが形成されている。
【００４１】
外障子３の煙返し１１２ａと、内障子４の煙返し１１２ｂとは、外内障子３，４を閉じた状態で係合する。
従って、外障子３に加わる風圧を、方立てが小さい外障子３の召し合せ框３２ａと、方立てが大きい内障子４の召し合せ框３２ｂとで受けることができる。
【００４２】
外障子３の召し合せ框３２ａに突出片１１３が形成されている。従って、雨水等の多くは、突出片１１３に衝突しその運動エネルギーを失い、雨水等の召し合せ框空間への浸入を防止することができる。
さらに、外障子３の召し合せ框３２ａに突出片１１３が形成されていることから、外内障子３，４との隙間が小さく、バール等が差し込まれる虞がなく防犯性を向上させている。
なお、本明細書において、召し合せ框空間とは、外障子３の召し合せ框３２ａの室内面と、突出片１１３と、堅タイト材１１４と、内障子４の召し合せ框３２ｂの室外面とで囲まれる略コ字状の部位をいう。
【００４３】
外障子３の突出片１１３を越えて召し合せ框空間に浸入した雨水等は、召し合せ框空間内で、自重により等圧空間とされた召し合せ框空間の下方に自然落下し、召し合せ框空間内に貯まり、水抜き孔（図示省略）から室外に排出される。
【００４４】
堅タイト材１１４は、外内障子３，４を閉じた状態で、外障子３の召し合せ框３２ａの室内面に摺接する。
従って、外障子３の召し合せ框３２ａと内障子４の召し合せ框３２ｂとは、堅タイト材１１４により水密ラインを形成し、外障子３の突出片１１３を越えて召し合せ框空間に浸入した雨水等の室内への浸透を防止する。
【００４５】
気密ブロックは、外障子３の召し合せ框３２ａの室内面と、堅タイト材１１４とに摺接することにより水密ラインを形成し、召し合せ框空間に浸入した雨水等が召し合せ框３２ａ，３２ｂの側部から室内への浸入を防止する。
また、気密ブロックは、内障子走行レール７３が形成されている室内側レール部材１４の基板７０の上面と摺接することにより水密ラインを形成し、召し合せ框空間に浸入した雨水等が召し合せ框３２ｂの底部から室内への浸入を防止する。
【００４６】
図１３は、室外側レール部材（目板）１３の立上がり片５１と、外障子３の室外側垂下片１０８ａの係合状態図である。
外障子３の取付け又は取外し作業中の誤作業により、外障子３が室外方向に押された場合にあっても、外障子３の下框３１ａの室外側垂下片１０８ａが、室外側レール部材１３に形成された立上がり片６１に係止することにより、外障子４が室外方向に外れることがなく、室外側から室外側レール部材１３と外障子３との隙間にバール塔を差し込み、外障子を外されるおそれもない。
また、外障子３の室外方向移動距離（角度）が小さい段階で、立上がり片６１により外障子３が係止されるため、作業者に誤作業をいち早く認識させることができ、取付け及び取外し作業効率が高い内外し引き違い窓を実現する。
さらに、外障子３の下框３１ａの室外側垂下片１０８ａと、室外側レール部材１３に形成された立上がり片６１との係合が外れた場合にあっても、外障子３の室内側垂下片１０８ａと、室外側レール部材１３に形成された立上がり片６１とが係止することにより外障子３が室外方向に外れることがない。
従って、特に高層建築物において、外障子４が室外面への外れ落下することがなく安全性に優れ、網戸を設けることができる内外し引き違い窓を提供することができる。
【００４７】
なお、本発明の水密構造は、引き違い障子に限らず、片引きサッシの片引き障子又は引き分けサッシの引き分け障子の召し合せ框にも適用できることは言うまでもない。    
【図面の簡単な説明】
【００４８】
【図１】内外し引き違い窓の縦断面図である。
【図２】同上部拡大縦断面図である。
【図３】同下部拡大縦断面図である。
【図４】（ａ）は、従来品、（ｂ）は、本発明に係る室外側レール部材である。
【図５】内外し引き違い窓の横断面図である。
【図６】（ａ）は網戸の正面図、（ｂ）は網戸のＡ−Ａ断面図である。
【図７】（ａ）は揺れ防止部品の正面図、（ｂ）は揺れ防止部品のＡ−Ａ断面図である。
【図８】（ａ）は摺動ローラーの下降、（ｂ）は摺動ローラーの上昇状態図である。
【図９】（ａ）は上端ブロックの正面図、（ｂ）は、上端ブロックの右側面図、（ｃ）は、上端ブロックの上面図である。
【図１０】網戸下框と室外側レール部材との係合部の拡大図である。
【図１１】上端ブロックと上枠との係合部の拡大図である。
【図１２】本発明に係る室外側レール部材の立上がり片と網戸の室内側垂下片の係止状態図である。
【図１３】本発明に係る室外側レール部材の立上がり片と外障子の室内側垂下片の係止状態図である。
【符号の説明】
【００４９】
１…窓枠、２…網戸、３…外障子、４…内障子、１０…上枠、１１…下枠、１２…堅枠
１３…室外側レール部材（目板）、１４…室内側レール部材、１５…下部下枠、２０…網戸上框、２１…網戸下框、２２…網戸堅框、２３…網、３０ａ，３０ｂ…上框、３１ａ，３１ｂ…下框、３２ａ，３２ｂ…召し合わせ框、３３ａ，３３ｂ…戸先框、３４ａ，３４ｂ…ガラスパネル、４０…外側基板、４１…室外側垂下片、４２…室外側中間垂下片、４３…室内側中間垂下片、４４…室内側垂下片、４５…内障子走行溝、４６…ストッパー、４７…上枠タイト材、５０…中空部、５１…室外側立上がり片、５２…第１中間立上がり片
５３…第２中間立上がり片、５４…第３中間立上がり片、５５…室内側立上がり片、５６，５７…下枠タイト材、６０…基板、６１…立上がり片、６２…室外側垂下片、６３…室内側垂下片、６４…外障子走行レール、７０…基板、７１…室外側垂下片、７２…室内側垂下片、７３…内障子走行レール、８０…中空部、８１…室外側立上がり片、８２…室内側立上がり片、８３…垂下片、８６…揺れ防止部品、８７…上端ブロック、８８，８９…溝、９０…摺動ロール、９１…中空部、９２…室外側垂下片、９３…室内側垂下片、９４…立上がり片、９５…網戸戸車、９５…ロック部材、１００ａ，１００ｂ…中空部、１０１ａ，１０１ｂ…立上がり片、１０２ａ，１０２ｂ…垂下片、１０３…室外側ダイス、１０４…室内側ダイス、１０５…溝、１０６ａ，１０６ｂ…中空部、１０７ａ，１０７ｂ…立上がり片、１０８ａ，１０８ｂ…垂下片、１０９ａ，１０９ｂ…障子戸車、１１０ａ，１１０ｂ…水切りタイト材、１１１ａ，１１１ｂ…障子走行溝、１１２ａ，１１２ｂ…煙返し、１１３…突出片、１１４…堅タイト材
【図１】
2009293258.tif 000003
【図２】
2009293258.tif 000004
【図３】
2009293258.tif 000005
【図４】
2009293258.tif 000006
【図５】
2009293258.tif 000007
【図６】
2009293258.tif 000008
【図７】
2009293258.tif 000009
【図８】
2009293258.tif 000010
【図９】
2009293258.tif 000011
【図１０】
2009293258.tif 000012
【図１１】
2009293258.tif 000013
【図１２】
2009293258.tif 000014
【図１３】
2009293258.tif 000015